(57)【要約】      （修正有）【課題】商品箱から中身を取り出した後、ポップアップ機能を利用して箱を組み立て、インテリアならびにＡＲ機能を利用することにより情報取得に利用できる商品包装用箱を提供する。【解決手段】切り込み部分１、山折線７、１０、１１、１２及び谷折線８、９を設けてあるポップアップ商品包装用箱であって、箱から商品を取り出した後、切り込み部分を切り離し、山折線と谷折線を折ることで、前面にステージ部分３、後面に背景４、同時に中間部分に装飾２をポップアップで再現できる。装飾部にＡＲ機能を施すことにより、動画による情報提供も可能になる。【選択図】図１
0003201658.tif 000002
【実用新案登録請求の範囲】
【請求項１】
商品包装箱から商品を取り出した後、箱面に切り込みを作り、山折谷折を行い組み立てると、前面にステージ部分、後面に背景、同時に中間部分に装飾をポップアップで再現できる、ポップアップ商品包装用箱である。
【考案の詳細な説明】
【技術分野】
【０００１】
本考案は、箱の形状をそのまま保ち、箱に切り目と山折谷折の溝をつける事により、簡単ポップアップ機能が再現でき、販売促進効果が高まる商品包装用箱である。
【背景技術】
【０００２】
従来型のポップアップ（飛び出す）機能がついた箱は、絵本を開いたときに折り目に沿って画像が立ちあがる構造や、それに類似した構造になっている。すなわち、本来の箱に新たな構造を付け加えることによりポップアップを再現している。
【考案の概要】
【考案が解決しようとする課題】
【０００３】
従来の箱を用いたポップアップ機能は、新たな構造を付け加えることにより製作コストが上がり、それに見合うだけの販売促進効果があるかを常に考慮しなければならない。
【課題を解決するための手段】
【０００４】
本考案は、従来の箱に新たな構造を付け加えることなく、箱面への切り込みや山折谷折の溝を付け加えることによりポップアップ機能を再現したことを特徴とする商品包装用箱である。
【考案の効果】
【０００５】
本考案は、箱に新たな構造を加える事がないのでコストを極力抑える事ができる利点がある。
【０００６】
箱の全面をくり抜かず、左右どちらかに従来の箱の形状を残すことにより、残した情報提供部分14に商品説明や観光地の風景説明などが印刷できる利点がある。
【０００７】
観光地風景等2にAR機能を付加させることにより、スマートフォンなどの携帯端末を通して観光地情報などを提供することができる。
【図面の簡単な説明】
【０００８】
【図１】展開図からポップアップ箱完成までの一連の説明図である。
【図２】AR機能利用図である
【考案を実施するための形態】
【０００９】
誰でもが簡単に組み立てることがき、同時に商品を損なわない様、紙の厚さを工夫した。理想的な紙の暑さはコートボール400ｇであった。
【００１０】
本商品包装箱は、紙素材だけではなくプラスティックや金属など、箱を作る事ができる素材であれば、全てにおいて実現することができる。
【００１１】
組み立てた後、裏面が見えてしまう欠点があったので、表面の色調とマッチするように箱内部の裏面にも印刷を施すようにした。
【実施例】
【００１２】
本商品包装箱は、図１-２の様に商品が中に入っている状態では箱がへこむ事はない。
【００１３】
図１-１の展開図の内側部分の実線１には切込みが入っている。通常切り込みは、商品を詰め込むときに困らないようにミシン目で繋がっており、商品を取り出した後ミシン目に沿って力を加えたら切り込みが入るようになっている。切り込み部分にミシン目を入れずに、購入者自身にカッターなどで切り込みを入れさせる事も可能である。内側折込部分5を折り込むことに、装飾部分2をポップアップすることになる。
【００１４】
ポップアップの組み立て方は、まず箱図1-2より商品を取り出し、装飾部2を上面にし、両側の蓋部６も外側に出す。ポップアップを組み立てる為の折線は複数本よりなる。箱下部のステージ部分を表現するための山折り線７。ステージの上に９０度に立ち上がる装飾部2を表現するための谷折線８。背景部分４と装飾部分２の距離感を表現するための山折り線１０と谷折線９。背景部分を９０度に保つための山折線１１の複数本である。また、組み立てた後の強度を保つための、山折線１２がある。尚、背景部分4と装飾部分2の距離感を保つ谷折線は、双方のバランスを考慮して１本から複数本設けることになる。
【００１５】
組み立て方は、まずミシン目になっている切り込み部分1をすべて切り離し、切り込み状態をつくる。本商品包装箱はミシン目がない状態でも可能であり、その場合は、カッターなどで切り込み線に沿ってカットをする。次に、谷折線８を折る。谷折線９と山折線１０を折ることにより、背景部分４と装飾部分２の距離感を保つことができる。
【００１６】
全体的に内側に折り込むことにより、装飾部分２をポップアップするように工夫されている。
【００１７】
内側に折り込まれる事により、装飾部分２がポップアップとして表現される。最後に、左右にある補強用部分１２を山折して出来上がりである。出来上がると、箱の内部が見える状態になるので、箱内部にはステージ部分3や背景部分4、装飾部分2が違和感ないように、箱内部１３に印刷が施されている。
【００１８】
図1-4は組み立て後の外観図である。箱の前面部分にステージ部分３が出来、背後に背景部分４が出来る。ポップアップで表現したい装飾部分2は、ステージ部分3と背景部分4の中間に配置される。
【００１９】
本ポップアップ商品包装用箱は、山折線、谷折線を元に戻すことにより図1-2状態になるので、箱としての再利用が可能である。その場合は、切り込み部分を粘着テープなどで補強することを薦める。
【００２０】
図２-１で示している、AR（拡張現実）機能を再現できるスマートフォン等の携帯端末15で、携帯端末画面16-aにあるAR(拡張現実）機能を再現できる専用アプリケーション17を起動する。カメラ18で図1-４の装飾部2をかざすと、AR(拡張現実）機能で図２-２の携帯端末画面１６-bに装飾部２に関する動画情報を再現することができる。この事により、商品の販売促進効果を高める事ができる。
【００２１】
箱全部を内側に折り込んでポップアップにするのではなく、左右どちらかに情報提供部分１４を残して、商品情報が伝わる様にする。
【００２２】
1-aに示す四隅の部分の切込みを、直線ではなく曲線にすることにより組み立て時に破損することを防ぐようにした。
【符号の説明】
【００２３】
1  切り込み部分
1-a曲線切り込み部分
2  装飾部分
3  ステージ部分
4  背景部分
5  内側折込部分
6  蓋
7  山折線
8  谷折線
9  谷折線
10  山折線
11  山折線
12  山折線
13  箱内側印刷部分(塗りつぶし部分）
１４  情報提供部分
15  AR（拡張現実）機能を再現できる携帯端末
１６-a  携帯端末画面
１６-b  AR(拡張現実）機能を再現した携帯端末画面
１７  専用アプリケーション
１８  カメラ
【図１】
0003201658.tif 000003
【図２】
0003201658.tif 000004
【手続補正書】
【提出日】平成27年10月21日(2015.10.21)
【手続補正１】
【補正対象書類名】実用新案登録請求の範囲
【補正対象項目名】全文
【補正方法】変更
【補正の内容】
【実用新案登録請求の範囲】
【請求項１】
切り込み部分、山折線及び谷折線を設けてあるポップアップ商品包装用箱であ
って、前記切り込み部分、前記山折線及び前記谷折線は、ポップアップ商品包装
箱から商品を取り出した後、前記切り込み部分を切り離し、前記山折線と前記谷
折線を折ることで、前面にステージ部分、後面に背景、同時に中間部分に装飾を
ポップアップで再現できるように設けられていることを特徴とするポップアップ
商品包装用箱。